(57)【特許請求の範囲】
【請求項１】
口そして咽頭を通って気管の方向に導かれることを意図した遠位末端と人の口腔の外側に位置させることを意図した基部末端を有する管（１）を含んでいて該管の上記遠位末端に上記管（１）の壁と人の咽頭の壁の間にシールを形成させることを意図した膨張式シーリングリング（２）が配置されていて該シーリングリング（２）が上位遠位末端を咽頭の中に導入して膨張させた状態で該管（１）の軸に関して人工呼吸具の側面から見て該シーリングリング（２）の後側の部分が、前側の部分に対して非対称的であるように該管（１）上に位置している人または哺乳動物用人工呼吸具であって、該管が該遠位末端を気管への入り口に導入して該シーリングリング（２）を下咽頭内に位置させるに適した長さを有しかつ該シーリングリング（２）がこのシーリングリング（２）を下咽頭に導入して膨張させた状態で主に該管（１）の上記遠位末端の１つの側に隣接して位置しかつ下咽頭を満たして該管を気管への入り口の方に押し付けるに適した形状および寸法を有することを特徴とする人工呼吸具。
【請求項２】
該管（１）の軸に垂直な該シーリングリング（２）の断面積の大きさが膨張状態で該管の遠位末端に向かう方向に大きくなっていることを特徴とする請求の範囲第１項記載の人工呼吸具。
【請求項３】
該シーリングリング（２）が膨張状態で管（１）の軸に沿った縦方向断面において該管の遠位末端から離れる方向に面する上辺が相対的に小さくて該管の遠位末端に向かう方向に面する下辺が相対的に大きい台形の形状を本質的に有することを特徴とする請求の範囲第２項記載の人工呼吸具。
【請求項４】
該シーリングリング（２）の上記相対的に小さい上辺と該管（１）の軸が形成する角度αが90゜未満であることを特徴とする請求の範囲第３項記載の人工呼吸具。
【請求項５】
上記相対的に大きい下辺と該管（１）の軸が形成する角度βが90゜未満であることを特徴とする請求の範囲第３項記載の人工呼吸具。
【請求項６】
該シーリングリング（２）の外側壁が、この外側壁が該管の遠位末端に向かう方向に管（１）から離れるような様式で管（１）の軸に関して所定の角度で延びていることを特徴とする請求の範囲第３、４または５項記載の人工呼吸具。
【請求項７】
食道の上末端部の中に導入することを意図する片（３）が、気管に向かって導かれるべき該管（１）の遠位末端に近い所で該管（１）に取り付けられていることを特徴とする請求の範囲前項の１項記載の人工呼吸具。
【請求項８】
上記片（３）がＬ字型であり、そして該人工呼吸具を使用していない状態では、上記片（３）と該管（１）の軸が若干の角度（10−20゜）を形成していて、この角度が、該管を喉頭の中に導入して該シーリングリング（２）を膨張させた時に、約０゜にまで小さくなることを特徴とする請求の範囲第７項記載の人工呼吸具。
【請求項９】
該管（１）を気管（９）の入り口の所で気管（９）の壁に対して密封するためのシーリング部材（４）が該管（１）の遠位末端の所に配置されていることを特徴とする請求の範囲前項の１項記載の人工呼吸具。
【請求項１０】
上記シーリング部材（４）が突き出ていて互いに重なり合う軟質フラップで作られた環を含んで成ることを特徴とする請求の範囲第９項記載の人工呼吸具。
【請求項１１】
該シーリング部材（４）を導入する時に該軟質フラップ（４）を取り囲みそして該管（１）のスタートに通じるスレッド（６）に連結しているキャップ（５）を伴うことを特徴とする請求の範囲第10項記載の人工呼吸具。
【請求項１２】
該スレッド（６）が中空であることを特徴とする請求の範囲第10項記載の人工呼吸具。
【発明の詳細な説明】
本発明は人または哺乳動物用人工呼吸具に関し、この器具に、口そして咽頭を通って気管の方向に導かれることを意図した遠位末端と人の口腔の外側に位置させることを意図した基部末端を有する管を含めて、この管の上記遠位末端に、上記管の壁と人の咽頭の壁の間にシール（seal）を形成させることを意図した膨張式シーリングリング（inflatable  sealing  ring）を配置し、かつこのシーリングリングを、上記遠位末端を咽頭の中に導入して膨張させた状態で上記管の軸に関して非対称的になるように、上記管上に位置させる。
そのような人工呼吸具は国際特許出願WO  95/06492に開示されている。
従来技術に従って使用されている人工呼吸具は２つのカテゴリー、即ち気管内管および喉頭マスクに分類分け可能である。気管内管は口腔そして咽頭を通して声帯を通り過ぎて奥の気管の中にまで導入される。この細い軟質管にバルーンがそれの遠位末端に近い所でそれを取り巻くように取り付けられている。上記管を適切な場所に位置させた後、上記バルーンを膨張させると、結果として上記管の外側壁と気管の壁の間の空隙部が気密様式で閉じられる。次に、人工呼吸手段を用いて気管内および肺（より低いレベルで）内に空気の圧力を蓄積させることができる。
気管内管は、操作信頼度が極めて高く、従って使用が安全であると言った重要な利点を有する。この理由で、上記管は、また、患者を長期間に渡って人工的に呼吸させようとする時にも用いられる。別の利点は、上記管の製造は安価であり、従って使い捨て品としてそれを用いることができる点である。しかしながら、上記管の遠位末端（ここにバルーンが取り付けられている）を声帯の間に位置させる必要があることが気管内管の主要な欠点になっている。声帯は気管を保護する役割を果しており、人工呼吸用管の導入を可能にするには、それを緩めておく必要がある。その上、声帯は非常に繊細である。人工呼吸用管を導入する時、それが声帯に触れて声帯が損傷を受ける可能性がある。それによって感染がもたらされるか、かさぶた組織の形成がもたらされるか、気管が遮断されるか、或は患者の声が永久的にしわがれる可能性がある。
気管への気管内管の導入は、また、数多くの合併症、例えば転移増殖、気管気管支炎および肺炎などの危険も伴う。
気管内管の使用に関する追加的欠点は、上記管の断面が気管自身の断面よりもかなり小さい点である。それによって口と気管の間で空気流に対する抵抗がかなり高くなってしまう。人工呼吸用管はしばしば呼吸に問題ある人に用いられることから、そのことが重大な欠点になっている。
比較的高価な喉頭マスクは、口腔そして咽頭を通して気管への入り口にまで導入されて喉頭を通り過ぎることはないことを特徴とする。この喉頭マスクの末端に形状が特殊で複雑な膨張式本体が与えられていて、この本体は、気管の上の方で咽頭を気密様式で閉じる能力を有する。この膨張式本体は、それが咽頭の胸側を押し付けるような様式で取り付けられている。この膨張式本体を膨張させた後に喉頭マスクを気管の入り口に気密様式で連結させる。この喉頭マスクの主要な利点は、このマスクは気管の中にまでは挿入されないことからそれを用いる時に声帯が危険にさらされない点である。
しかしながら、喉頭マスクの使用は数多くの欠点を伴う。このマスクを使用した時、気管内管を用いた時と同じほどの度合の安全性が保証されない。患者が人工呼吸中に動くと漏れが生じる危険性が高い。
更に、喉頭マスクの膨張式本体の場合、気密封鎖を得る目的でそれを高圧下で位置させる必要がある。この圧力は非常に高いことから、咽頭内の粘液層が損傷を受けないようにする目的で喉頭マスクを長期間に渡って用いるのは不可能である。また、喉頭マスクが気管を例えば液体が食道から入って来ないように保護する度合は気管内管のそれよりも低い。
喉頭マスクの使用に関する追加的欠点は、それの費用が高いことが原因でそれを使い捨て品として用いることができない点である。マスクを使用した後、それを捨てないで、それに殺菌を受けさせる。このように、喉頭マスクを用いる場合には殺菌手段を用いる必要がある。
国際特許出願WO−92/13587には、喉頭マスクの使用の利点と気管内管の使用の利点を組み合わせるように試みられた人工呼吸具が開示されている。上記装置は本質的に外側管（10）、それの末端に取り付けられている喉頭マスク（12）および上記外側管の中に挿入されている気管内管（40）を含んで成っていて、それの１つの末端部に膨張式シーリングリングが取り付けられている。しかしながら、この国際特許出願に従う人工呼吸具の使用は下記の数多くの欠点を伴う：上述した特許出願に従う喉頭マスクは比較的大きい。この理由で上記マスクの大部分は膨張しない固体状の部材で作られている。この理由で、とりわけ、喉頭鏡を用いた可視的制御で上記マスクを導入するのは不可能であり、むしろ手で触れてそれが正確な位置に来るように盲目的に操作する必要がある。上記出願に従う喉頭マスクでは、口を幅広く開けることができない患者の場合には上記マスクを歯の間に通すことさえ不可能である。上述した出願に従う器具を用いる場合には、通常の喉頭マスクを用いる時と同様に上記喉頭マスクを用いて食道の密封を確保する必要があることから、まさに同様な度合で吸い込みが起こる危険性がある。このケースでは膨張式リング（14）を膨張させた時に上記喉頭マスク内の遠位管開口部が後方に押されることから、それによって実際に吸い込みが起こる危険度が更に増大してしまう。
また、上述したマスクの使用ではカフ（cuff）（12）の補助で喉頭の密封が行われることから、気密封鎖を達成することができるようにする目的でシーリングリングの圧力を非常に高くする必要がある。従って、上述した出願に従うそのような人工呼吸具の使用は、通常の喉頭マスクの使用と同様に、咽頭内の粘液層が受ける損傷に関して同じ度合の危険を伴う。
WO−92/13587に従う喉頭マスクの追加的欠点は、マスクにかける圧力が高いにも拘らず達成される封鎖があまり有効でない点である。患者を人工的に呼吸させる必要がある場合、肺を充分に膨張させるに必要な人工呼吸圧力によって上記マスクを通る漏れが生じる。このような漏れが起こると、肺の換気がかなり低下する可能性があり、それによって重大な合併症がもたらされる可能性がある。
その上、WO−92/13587に従う喉頭マスクの形態は、それを正確な位置に固定することを確保しようとするとき例えば硬膏剤などを用いて上記管を口の外側の回りの皮膚にテープ留めすることでのみ固定可能であることを意味する。この形態の喉頭マスクは、この喉頭マスクがその位置から滑って外れて下咽頭から中咽頭そして口腔の中に入り込んでしまう可能性さえある。その場合、上記喉頭マスクの使用で達成することが望まれていた最も重要な機能、即ち安全で自由に利用できる気道が危険にさらされてしまう。
冒頭で述べた種類の別の人工呼吸具が国際特許出願WO−95/06492に記述されている。この特許出願にはとりわけ管（12）と膨張式シーリングリング（14）を含んで成る人工呼吸具が記述されている。中咽頭（舌の後方に位置する咽頭部）の封鎖で上記シーリングリング（14）が用いられることは上記国際特許出願の本文および図から明らかである。上記国際特許出願に従う人工呼吸具の目的は、軟口蓋を持ち上げて鼻咽頭を封鎖することにある。その上、気道の封鎖が中咽頭のレベルの所でも起こる。膨張させたシーリングリング（14）を用いて舌の基部を持ち上げると、結果として喉頭蓋が間接的に持ち上げられる。更に、上記シーリングリング（14）には、その人工呼吸具を舌の位置の後側に保持する目的で、膨張状態において、上記シーリングリング（14）前部に突き出し部（28）が与えられる。WO−95/06492に従う人工呼吸具の重要な目的は喉頭のそばで操作を行わないようにすることにある。これは、人工呼吸用管を中咽頭の中にまで挿入しないことでのみ達成可能である。上記管を下咽頭内に位置させると操作を正確に行うことができなくなる。
上記特許出願に従う人工呼吸具は、選択されたデザインの結果として、重大な制限を数多く有する。１番目として、食道への出入りが封鎖されない。従って、肺と胃の間が下咽頭によって開放された伝達状態になっている。このことは、人工呼吸中に胃の内容物が肺の中に入り込む可能性があることを意味する。胃の内容物が肺に吸入されると重大な肺炎がもたらされる可能性があることから、これは重大な制限である。
上記特許出願の本文に従い、上記人工呼吸具が機能を果すのは、自発的呼吸を行っている時か或は人工呼吸で低い圧力を用いる場合のみである。この理由で、上記特許出願に従う人工呼吸具が使用可能なのは、介入時間が短い麻酔下のみである。
本発明の目的は、気管内管使用の利点と喉頭マスク使用の利点が組み合わされていてかつまたそれらの欠点も持たない人工呼吸具を提供することにある。本発明の目的は、特に、有効な封鎖を示し、従って漏れの危険性がほとんどなく、嘔吐の時でも胃の内容物が肺の中に入るのを防止し、喉頭の損傷をもたらし得ずかつ安価、従って使い捨て可能な人工呼吸具を提供することにある。この目的を、本発明では、上記管に、上記遠位末端を気管への入り口に導入して上記シーリングリングを下咽頭内に位置させるに適した長さを持たせ、そして上記シーリングリングがこのシーリングリングを下咽頭に導入して膨張させた状態で主に上記管の上記遠位末端の１つの側に隣接して位置するようにしかつそれに下咽頭を本質的に満たして上記管を気管への入り口の方に押し付けるに適した形状および寸法を持たせる、ことで達成する。
本発明に従う人工呼吸具の利点は、上記膨張式シーリングリングが本質的に上記管と咽頭の後側の間に位置する点である。このことは、上記シーリングリングを膨張させた時に上記管の遠位末端が気管の開口部の方向で咽頭の後側から離れるように押されることを意味する。その結果として、１番目として、上記管の遠位末端は気管への開口部の前に位置し、２番目として、上記管の遠位末端が気管と食道の間の先が細くなっている分離部分の所で声帯に触れそして／またはそれの繊細な連結部に損傷を与える可能性がないようになっている。
本発明に従う人工呼吸具は気管に挿入するものでなく、気管の入り口にまでしか来ないことから、人工呼吸用管の内径は、従来技術に従う気管内管の外径とほぼ同じ大きさになるように選択可能である。それによって、上記管の中を流れる空気の流れに対する抵抗が気管内管の場合の空気の流れに対する抵抗に比較して相対的に低いと言った利点が得られる。
気管への入り口の上の空間部を気密様式で閉鎖することができるようにするには膨張式シーリングリングを膨張状態で咽頭の構造に適合させるのが有利である。咽頭は舌の後部と咽頭の後方壁の間の断面の中で最も小さい断面を有する。咽頭の断面の中で最も大きい断面は食道および気管への入り口のレベルの所である。上記シーリングリングが膨張状態で上記形状を満たすようにすべきである。これを、上記管の軸に対して垂直なシーリングリング断面積の大きさを上記管の遠位末端に向かう方向に大きくしそして更に上記シーリングリングに上記管の軸に沿った縦方向で上記管の遠位末端から離れる方向に面する上辺が相対的に小さくて上記管の遠位末端に向かう方向に面する下辺が相対的に大きい台形の形状を本質的に持たせることで達成する。
本発明に従うシーリングリングの形状の利点は、とりわけ、この形状によって患者が人工呼吸中に動き始めるか或は嘔吐した時でも咽頭の気密封鎖の保持が保証される点にある。このようなシーリングリングの形状は、このシーリングリングを膨張させた時に上記管が体の中に更に入っていかないことを意味する。このシーリングリングにより、また、上記管が体の外の押し出されることもない。更に、上記管がいくらか動く場合には、テープ補助で患者の口を上から封鎖することでそのような動きを最小限にする。本発明を用いる時にも、他の人工呼吸具を用いた時に通常行われている様式と同じ様式で、口をテープで留めることが推奨され得る。
更に、上記シーリングリングの形状を利用して、口腔内に液体がいくらか蓄積した時にそれが気管の中に入らないようにするのが有利である。これを、上記シーリングリングの上記相対的に小さい上辺と上記管の軸が形成する角度αを90゜未満にすることで達成する。それによって、いくらか蓄積する液体が上記シーリングリングの上辺を壁によりしっかりと押し付けると言った利点が得られる。このように、上記シーリングリングは、液体がシーリングリングを通って気管の入り口の方向に行かないようにしている。
上記相対的に大きい下辺の所にいくらか蓄積する液体が気管の中に入り込むことができないようにする試みを行う。これを、上記相対的に大きい下辺と上記管の軸が形成する角度βを90゜未満にしそして上記環状のシーリングリングの外側壁がこの外側壁が上記管の遠位末端に向かう方向で管から離れる様式で管の軸に関して角度γで延びるようにすることで達成する。
このような形態の利点は、上記相対的に大きい下辺の上にいくらか蓄積する液体が咽頭内に位置させたシーリングリングの後方側に沿って口腔に向かって運ばれ得る点である。
止め具を用いて上記管を適切な場所に位置させた時にそれが気管への入り口付近の所に来るようにすることを通して本人工呼吸具の性能を向上させることができる。これを、食道の上末端部の中に導入することを意図する片を気管に向かって導かれるべき上記管の遠位末端に近い所で上記管に取り付けることで達成する。好適には上記片をＬ字型にし、そして本人工呼吸具を使用していない状態では、上記片と上記管の軸が若干の角度（10−20゜）を形成するようにし、そして上記管を喉頭の中に導入して上記シーリングリングを膨張させた時には、上記角度が約０゜にまで小さくなるようにする。
上記管を導入する時、上記片を食道の中に滑り込ませる。このようにすると、上記片によって上記管の遠位末端が気管の方向に導かれる。この片によって上記管の遠位末端が気管の中に押し込まれるのが防止される。この片は、他の如何なる付属品も高価な訓練も必要なく上記管を導入してこの管の遠位末端（気管の方に面する）を適切な場所に位置させることを可能にするものである。
更に、上記片の使用によって、また、蓄積した液体または胃の内容物が気管の中に入り込まないようにする重要な保護も与えられる。
安全性の理由で、好適には、上記シーリングリングの肺側の領域を気密様式で封じる目的で単にシーリングリングのみを用いないようにする。これを、上記管を気管の入り口の所で後者の壁に押し付けて密封するためのシーリング部材を上記管の遠位末端の所に配置することで達成する。この種類のシーリング部材の利点は、気管への入り口は気密様式でほとんど既に閉じられていることから、上記シーリングリングを通って起こる漏れの危険性を全く伴わせることなく上記シーリングリング内の圧力を比較的低いレベルに保つことができる点である。シーリング部材の１つのデザインには、突き出ていて互いに重なり合う軟質フラップ（flaps）で作られた環が含まれ得る。
能動カニューラ、即ちスリーブは米国特許第5,514,153号から公知であるが、これはチャンネルまたは通路を作り出しそして／またはそれらの中で拡大させる目的か、スコープまたは装置を適切な場所に位置させる目的か、或は組織を移動または局在させる目的で使用可能である。この米国特許に従うカニューラに、このカニューラを固定するブラダーリトラクター（bladder  retractor）を含めることも可能である。周囲に広がる補強用繊維が弾性重合体マトリックス材料内に複数に埋め込まれている。流体を上記カニューラに通して加圧下で導入すると、上記ブラダーが縦方向に膨張して堅い構造単位を限定する。この米国特許には人または哺乳動物の人工呼吸でカニューラ、即ちスリーブを用いることは開示されていない。
柔軟で膨張し得る傘形の伸長部分を含んで成る人工呼吸具はオランダ特許出願第6,615,648号から公知である。この資料には、突き出ていて互いに重なり合う軟質フラップで作られた管の使用は開示されていない。
上記シーリング部材を好適にはそれを閉じた状態で気管の中に導入することができるようにする。これは、上記シーリング部材を導入する時に上記軟質フラップを取り巻きそして上記管のスタート（start）に通じるスレッド（thread）に連結しているキャップ（cap）を用いることで達成可能である。これの利点は、上記シーリング部材を導入している間に気管への入り口が損傷を受けない点にある。追加的に空気または酸素を導入することができるようにする目的で、上記スレッドを中空にしてもよい。
本発明に従う人工呼吸用管の操作および使用を下記の図を参照して説明し、それらに典型的な態様を示す。
図１に、使用していない状態における本発明に従う人工呼吸具の側面図を示す。
図1aに、使用時の状態における本発明に従う人工呼吸具の詳細な側面図を示す。
図２に、本発明に従う人工呼吸具の前面図を示す。
図３に、挿入した状態における本発明に従う人工呼吸具のスケッチを示す。
図４に、本器具の末端部の側面図を拡大規模で示す。
シーリングリング２を人工呼吸用管１の遠位末端に近い所、即ち気管に向かう方向の部分に配置する。本図において、シーリングリング２は展開状態で上記管の後側に付いている。本図に示すシーリングリング２の断面は、上記管の軸に垂直な方向で、本質的に腎臓の形状である。また、シーリングリング２は環の形態で上記管を完全に取り巻いていてもよいことを注目すべきである。両方の場合とも、展開状態におけるシーリングリング２の体積の大部分は、管の後側に位置する。
片３は細いことが図１および２から分かるであろう。片３の下方部分は丸くなっており、それによって、片３が食道内の粘液層を傷付ける可能性がないと言った利点が得られる。管１を導入した後、片３で食道と気管の間の連結部を閉じる。それによって、患者が人工呼吸中に嘔吐し始めた時でも気管と肺がかなり保護される。
シーリング部材４を管１の遠位末端に取り付けておく。シーリング部材４は気管の開口部を密封する働きをする。示す態様におけるシーリング部材４は、例えばシリコンゴムで作られている個々別々のフラップを多数含んでいて、それらは互いにある程度重なり合っている。各フラップの長さは約10mmである。図１に示すように、キャップ５がシーリング部材４を一緒に保持している。キャップ５はスレッド６の補助でキャップ５が上記シーリング部材４から離れるように管１の遠位末端に向かって更に動きそして上記フラップは折り畳みが開いて管１の軸に関して約45゜の角度になり得ることが、図1aで分かるであろう。
スレッド６を軟質の合成材料で構成させるか或は金属で作られたコアを伴わせて軟質の合成材料で構成させる。このスレッドは堅くて特定の曲がりを有することから、このスレッドは管１の導入を容易にし得る。スレッド６の作動は管１のスタートの所のノブ７を用いて実施可能である。
通路（channel）10を用いてシーリングリング２を膨張させることができ、この通路10を管（10）の壁の中に部分的に入れておく。
図３に、人の口を通して咽頭の中に挿入した時の管１を示す。管１の遠位末端の所に取り付けたシーリングリング２を膨張させると、それの外側の湾曲部が咽頭14の後側に押し付けられる。そのようにすると、シーリングリング２によって管１の遠位末端が気管９の開口部の方向に押される。更に、シーリングリング２によって管１が咽頭の胸側13に押し付けられる。片３が気管９と食道11の間の先が細くなった分割部12に押し付けられる。シーリングリング２と片３によって、上記管の遠位末端は、シーリング部材４が声帯８の上の気管９内に位置するような様式で位置する。従って、片３は液体が食道11から気管９の開口部の中に入り込まないようにする追加的保護を与える。片３の存在は、上記管を気管９の中に声帯８にとって望ましい位置に導入する目的で要求される訓練の度合が最小限であることを意味する。更に、上記片によって、上記管が食道11の中に押し込まれる可能性がないことが保証される。上記管１を適切な場所に位置させると片３と管１の軸は特定の角度（10゜−20゜）を形成する。上記シーリングリングを膨張させると、上記角度は約０゜にまで小さくなるであろう。
上記シーリングリング２の形状は咽頭の構造に合致することが図３から分かるであろう。上記シーリングリング２の、胸の方向に面する側が、口腔から気管９への出入りを封じる。更に、シーリングリング２の下辺も食道11への出入りを封じる。本図から明瞭に分かるであろうように、また、気管９と食道の間の連結部も封じられる。その結果として、本発明に従う器具を用いると吸い込みの危険性が最小限に制限される。上記管の位置は膨張状態のとき本質的に固定される。上記シーリングリング２を膨張させている間、管１はもはや体の中に更に入り込むことはなく、かつまた、シーリングリング２が存在していることで、体から押し出されることもないであろう。更に、患者が動くか或は寝返りを打つか或は患者が首または頭を動かす時でも上記シーリングリングを通る漏れの危険性は、このシーリングリング２の形状が理由で小さい。このことは特に患者の口をテープで閉じた場合に当てはまる。
上記管が気管の中に挿入される可能性はなく、それが入り込むのは気管の入り口の所までであることから、管１の内径は、従来技術に従う気管内管の外径とちょうど同じ大きさになるように選択可能である。このことは、上記管内の空気の流れが受ける抵抗が気管内管を用いた場合のそれよりも小さいことを意味する。
シーリング部材４の下側の気管９内に圧力を蓄積することができる。その場合、シーリング部材４とシーリングリング２によって、空気が気管から咽頭および口腔に向かって漏れ出すのが防止される。
図４から分かるであろうように、上記シーリングリング２の相対的に小さい上辺（この辺は上記管の遠位末端から離れる方向に面する）と上記管の軸が形成する角αは90゜未満である。上記シーリングリング２の下辺（上記管の遠位末端に向かう方向に面するか、或はこの辺の少なくとも一部が後方に向かって面する）と上記管の軸が形成する角βは90゜未満である。上記シーリングリング２の外側壁と上記管の軸が形成する角度γは、上記管の遠位末端に向かう方向で見た時、上記外側壁が上記軸から更に離れるような角度である。
Ｌ字型の片３を上記管の遠位末端に近い所に取り付け、この片は、上記管が挿入された時に食道の中に押し込まれて上記管の遠位末端を適切な場所に位置させる働きをする。この片によって、上記管はこれが気道の開口部の前で中心に位置するように導かれる。
追加的利点は、本人工呼吸具は設計が簡単で価格が低いことから使い捨て品として使用可能な点である。
本図に示して考察した人工呼吸具のデザインは単に例として与えたものである。
【図１ａ】
0003565866.tif 000002
【図１】
0003565866.tif 000003
【図２】
0003565866.tif 000004
【図３】
0003565866.tif 000005
【図４】
0003565866.tif 000006